(57)【特許請求の範囲】
【請求項１】
架台の上部に離隔された状態で固定されている一対の桁間から上方に向けて引き上げられた電力ケーブルが、前記一対の桁間に跨設される碍管によって被嵌される気中終端接続部において、
前記電力ケーブルに嵌挿され、前記一対の桁間を通る保護金具は、前記碍管に対して固定するための円形フランジを有し、且つ当該円形フランジが前記架台の上部に所定間隔で固定されている前記一対の桁間を挿通可能に切り欠かれていることを特徴とする気中終端接続部。
【請求項２】
前記保護金具の前記円形フランジの形状は小判形であることを特徴とする請求項１記載の気中終端接続部。
【発明の詳細な説明】
【０００１】
【発明の属する技術分野】
この発明は気中終端接続部に係り、特に、電力ケーブルと屋内配線、架空線または電気機器とを接続するのに用いられる気中終端接続部に関する。
【０００２】
【従来の技術】
従来より、地中電力ケーブルの気中終端接続部としては、ケーブル端部の絶縁体外周にストレスコーンを設け、その外側に碍管を被嵌した構造のものが知られている。
【０００３】
このような気中終端接続部の主な構造は図３に示すように、電力ケーブル１の導体１ａの端部には導体引出棒６１が圧縮接続され、段剥ぎして露出された絶縁体１ｂ上には紡錘状のストレスコーン６２が被嵌され、このストレスコーン６２は後述する押圧圧縮装置６６を介して碍管６４内の下方に挿入固定されたエポキシ座６３に押圧固定されている。押圧圧縮装置６６は、固定シャフト、座金、スプリング等から成り、ストレスコーン６２の下方テーパ面６２ａ側に組み込まれている。また、予め電力ケーブル１に嵌挿されている保護金具６７が、碍管６４の下方から当該碍管６４の底部に締結されたエポキシ座６３のフランジ６３ａに固定されている。なお、碍管６４内には、絶縁流体６５が充填されている。
【０００４】
このように構成された気中終端接続部は、図４に示すような架台１００に設置されて用いられている。この架台１００には、気中終端接続部の碍管６４を跨設するための一対の桁１０１、１０２が、離隔された状態で上部に固定されている。
【０００５】
【発明が解決しようとする課題】
しかしながら、このような気中終端接続部では、架台１００の一対の桁１０１、１０２が、碍管６４の取付座６４ａの取付ピッチに対応した間隔Ｌで離隔されているので、架台１００の下部方向で待機させている円形フランジ６７ａを有する保護金具６７を一対の桁１０１、１０２間に挿通させることができなかった。このため、何れか一方の桁を外さなければ保護金具６７の円形フランジ６７ａをエポキシ座６３のフランジ６３ａに固定させることができなかった。
【０００６】
また、一対の桁１０１、１０２を固定した状態で、保護金具をエポキシ座６３のフランジ６３ａに固定させることができるようにするために、図５に示すような、保護金具本体７１と、２分割された円形フランジ７２Ａ、７２Ｂとを具備した保護金具７０が実用化されている。このような保護金具７０は、保護金具本体７１を一対の桁１０１、１０２間を挿通させてから、保護金具本体７１の鍔部７１ａを押え込むようにして、２分割された円形フランジ７２Ａ、７２Ｂを固定するので、何れか一方の桁を外さなくとも保護金具７０とエポキシ座６３のフランジ６３ａ（図３）とを固定することができるが、部品点数が多くなり取付作業が煩雑になる難点があった。
【０００７】
本発明は、このような従来の難点を解決するためになされたもので、架台の上部に固定されている碍管を跨設する一対の桁間に、単体の保護金具を挿通させることができる気中終端接続部を提供することを目的とする。
【０００８】
【発明を解決するための手段】
このような目的を達成する本発明の気中終端接続部は、架台の上部に離隔された状態で固定されている一対の桁間から上方に向けて引き上げられた電力ケーブルが、一対の桁間に跨設される碍管によって被嵌される気中終端接続部において、電力ケーブルに嵌挿され、一対の桁間を通る保護金具は、碍管に対して固定するための円形フランジを有し、且つ当該円形フランジが架台の上部に所定間隔で固定されている一対の桁間を挿通可能に切り欠かれているものである。
【０００９】
このような気中終端接続部によれば、保護金具が一対の桁間を挿通可能に切り欠かれているので、架台の桁を取り外すことなく、而も簡単な作業で、この保護金具と、電力ケーブルに被嵌された碍管とを固定することができる。
【００１０】
また、本発明の気中終端接続部において保護金具の円形フランジの形状を小判形にすれば、単体の保護金具を一対の桁間に挿通できると共に、保護金具の円形フランジを固定ボルトによって、電力ケーブルに被嵌された碍管に固定させることができるようになる。
【００１１】
【発明の実施の形態】
以下、本発明の気中終端接続部における好ましい実施の形態例について、図面を参照して説明する。
【００１２】
本発明の気中終端接続部は図２に示すように、電力ケーブル１の導体１ａの端部には導体引出棒２が圧縮接続され、段剥ぎして露出された絶縁体１ｂ上には紡錘状のストレスコーン３が被嵌され、このストレスコーン３は後述する押圧圧縮装置１０を介して碍管５内の下方に挿入固定されたエポキシ座４に押圧固定されている。なお、碍管５の上部には導体引出棒２および碍管５を固定するための上部金具６が固定され、これらを覆うように上部覆い７が被されており、この碍管５内には、絶縁流体８が充填されている。
【００１３】
また、ストレスコーン３の下方テーパ面３ａ側には押圧圧縮装置１０が組み込まれている。この押圧圧縮装置１０は、ストレスコーン３の下方テーパ面３ａに嵌合される押し金具１１と、押し金具１１に固定される可動シャフト１２と、可動シャフト１２の周りに挿嵌されるスプリング１３と、スプリング１３の後端を支持するように可動シャフト１２に嵌挿される座金１４と、座金１４の移動を規制するようにエポキシ座４のフランジ４ａに固定される固定シャフト１５とから成り、ストレスコーン３が押し金具１１によってケーブルの軸方向に押圧圧縮されるように構成されている。したがって、ストレスコーン３を、エポキシ座４の内テーパ面４ｂに押圧固定させることができる。
【００１４】
さらに、予め電力ケーブル１に嵌挿されている保護金具２０が、碍管５の下方からエポキシ座４のフランジ４ａに固定されている。この保護金具２０は図１に示すように、電力ケーブル１が、ストレスコーン３、押圧圧縮装置１０などの所定の付属品（図２）と共に組み込まれることになる碍管５に対して固定するための円形フランジ２０ａを有し、且つ当該円形フランジ２０ａが架台１００の上部に固定されている一対の桁１０１、１０２間を挿通可能に切り欠かれている（「架台１００」は、図４に示したものを引用する。）。具体的には、円形フランジ２０ａは小判形に形成されている（以下、「フランジ２０ａ」と称する。）。
【００１５】
これにより、フランジ２０ａの切り欠き面２０ａｓと、桁１０１、１０２の長手方向の面１０１ｓ、１０２ｓとをほぼ平行にすることにより、フランジ２０ａを一対の桁１０１、１０２間に挿通させることができるので、架台１００の何れか一方の桁を外すことなく、而も簡単な作業で、この保護金具２０と、地中電力ケーブル１が所定部品と共に組み込まれた碍管５とを固定することができるようになる。なお、保護金具２０のフランジ２０ａの一部分を切り欠いているだけなので、固定ボルト（図示せず）で保護金具２０をエポキシ座４のフランジ４ａに固定させることができる。
【００１６】
このように構成された気中終端接続部を架台１００に設置する作業について説明する。なお、架台１００の上部には、予め碍管５の取付座５ａの取付ピッチに対応した間隔で、一対の桁１０１、１０２が固定されている。
【００１７】
まず、架台１００の上部へ電力ケーブル１を引き上げ、保護金具２０、予め組上げられた押圧圧縮装置１０およびストレスコーン３の順番で当該電力ケーブル１に嵌挿させておく。次に、架台１００上で電力ケーブル１の端部を段剥ぎして、遮蔽層などをストレスコーン３および押圧圧縮装置１０と共に組上げ、さらに、露出された導体１ａに導体引出棒２を圧縮接続し、この導体引出棒２から絶縁層１ｂにかけて油止ゴムモールド層１６を形成させる。
【００１８】
そして、架台１００の一対の桁１０１、１０２に支持碍子１７を介して、上述したケーブル処理が施された電力ケーブル１のケーブル端末を被嵌するように、碍管５を跨設する。電力ケーブル１に被嵌された碍管５を跨設後、この碍管５に所定の付属品を引き上げてセットし、碍管５の下方に固定されたエポキシ座４のフランジ４ａに押圧圧縮装置１０の固定シャフト１５を固定する。これにより、押圧圧縮装置１０の座金１４がスプリング１３を圧縮することから、このスプリング１３の弾撥力によって押し金具１１がストレスコーン３をケーブルの軸方向に押圧圧縮することになるので、ストレスコーン３は、エポキシ座４の内テーパ面４ｂに押圧固定されることになる。
【００１９】
このようなケーブル端末処理が終了後、碍管５の上部から絶縁流体８を規定量だけ流し込んでから、当該上部に上部金具６を固定し、さらに、これらを覆うように上部覆い７を被せる。そして、架台１００の一対の桁１０１、１０２の下に待機させておいた保護金具２０を当該一対の桁１０１、１０２間を通してから、当該保護金具２０のフランジ２０ａを固定ボルトでエポキシ座４のフランジ４ａに固定し、この保護金具２０の後端部からケーブルシース１ｃに亘って防水テープ１８を巻着することにより、気中終端接続部の架台１００への設置が完了する。なお、碍管５の上下部におけるこれら２種類の作業は、作業の効率化を図るためには、同時進行させることが好ましい。
【００２０】
【発明の効果】
以上、説明したように、本発明の気中終端接続部によれば、保護金具のフランジの形状を、架台の上部に所定間隔で固定されている一対の桁間を挿通可能な形状に形成したことにより、単体の保護金具で架台の桁を取り外す作業をなくすことができ、而も保護金具の軽量化が図れるので、組立作業効率が大幅に向上する。
【図面の簡単な説明】
【図１】本発明の気中終端接続部における好ましい実施の形態例を示す部分詳細図。
【図２】本発明の気中終端接続部における好ましい実施の形態例を示す全体図。
【図３】従来の気中終端接続部を示す全体図。
【図４】気中終端接続部が設置される架台を示す全体斜視図。
【図５】従来の気中終端接続部に用いられる保護金具を示す斜視図。
【符号の説明】
１・・・・・電力ケーブル
３・・・・・ストレスコーン
４・・・・・エポキシ座
５・・・・・碍管
６・・・・・上部金具
１０・・・・・押圧圧縮装置
２０・・・・・保護金具
２０ａ・・・・・円形フランジ
１００・・・・・架台
１０１、１０２・・・・・一対の桁
【図１】
0003633818.tif 000002
【図２】
0003633818.tif 000003
【図３】
0003633818.tif 000004
【図４】
0003633818.tif 000005
【図５】
0003633818.tif 000006